(57)【要約】      （修正有）【課題】圧縮機の温度保護制御中に必要以上に圧縮機の回転数が低下することを防止できる空気調和装置を提供する。【解決手段】ＣＰＵは、取り込んだ吐出温度Ｔｄが１１０℃以上であるかあるいは取り込んだシェル温度Ｔｃが１１５℃以上であるか否かを判断する。取り込んだ吐出温度Ｔｄが１１０℃以上であるかあるいは取り込んだシェル温度Ｔｃが１１５℃以上でなければ、は、回転数保持制御を実行する。取り込んだ吐出温度Ｔｄが１１０℃以上であるかあるいは取り込んだシェル温度Ｔｃが１１５℃以上であれば、ＣＰＵは、フラグＦｂが１であるか否かを判断する。そして、ＣＰＵは、フラグＦｂが１であれば回転数保持制御を実行し、フラグＦｂが１でなければ回転数低下制御を実行して、フラグＦｂを１とする。【選択図】図３
2018141599.tif 000002
【特許請求の範囲】
【請求項１】
圧縮機と、同圧縮機の回転数に応じて変化する圧縮機温度を検出する圧縮機温度検出手段と、同圧縮機温度検出手段で検出した前記圧縮機温度に基づいて前記圧縮機を制御する制御手段を有する空気調和装置であって、
前記制御手段は、
前記圧縮機温度が上昇しているときに、同圧縮機温度が予め定められた第１温度以上となれば、前記圧縮機温度が前記第１温度より高い予め定められた第２温度以上ならないように、前記圧縮機の回転数を現在の回転数に保持する回転数保持制御と前記圧縮機の回転数を現在の回転数から所定の割合で減じる回転数とする回転数低下制御を少なくとも含む温度保護制御を実行するものであり、
前記圧縮機温度が前記第１温度より高くかつ前記第２温度より低い第３温度と、同第３温度より高く前記第２温度より低い第４温度で定められる第１温度帯に到達すれば、前記回転数低下制御を実行し、
その後、前記圧縮機温度が前記第１温度帯に留まっていれば、前記回転数保持制御を実行する、
ことを特徴とする空気調和装置。
【請求項２】
前記制御手段は、
前記圧縮機温度が、前記第１温度と前記第３温度で定められる第２温度帯に到達すれば、前記回転数保持制御を実行する、
ことを特徴とする請求項１に記載の空気調和装置。
【請求項３】
前記制御手段は、
前記圧縮機温度が、前記第２温度と前記第４温度で定められる第３温度帯に到達すれば、前記回転数低下制御を実行する、
ことを特徴とする請求項１に記載の空気調和装置。
【請求項４】
前記圧縮機温度として、前記圧縮機から吐出される冷媒の温度である吐出温度、あるいは、前記圧縮機の密閉容器の温度であるシェル温度のうち、少なくともいずれか一方を含み、
少なくとも、前記吐出温度あるいは前記シェル温度のいずれか一方が上昇して前記第１温度帯に到達し、かつ、他方が前記第４温度以上の温度となっていなければ、前記回転数低下制御を実行し、
その後、前記吐出温度および前記シェル温度が前記第４温度未満であり、かつ、前記吐出温度あるいは前記シェル温度のいずれか一方が前記第１温度帯に留まっていれば、前記回転数保持制御を実行する、
ことを特徴とする請求項１乃至請求項３に記載の空気調和装置。
【発明の詳細な説明】
【技術分野】
【０００１】
本発明は、室外機と室内機とが冷媒配管で接続された空気調和装置に関する。
【背景技術】
【０００２】
従来、少なくとも１台の室外機と少なくとも１台の室内機を有し、室外機に備えられた圧縮機、室外熱交換器、室外膨張弁と、室内機に備えられた室内熱交換器とが冷媒配管で接続されてなる冷媒回路を有する空気調和装置では、圧縮機の吐出温度や圧縮機の密閉容器の温度（以降、シェル温度と記載する）が、圧縮機で個別に定められているそれぞれの上限値を超えないようにするために、冷凍サイクルに設けられた各種温度センサや各種圧力センサでの検出値を用いた様々な温度保護制御が提案されている。
【０００３】
温度保護制御の一例としては、検出した圧力や温度に応じて、圧縮機の回転数を下げる、あるいは、圧縮機を停止することによって、圧縮機の吐出温度（以降、単に「吐出温度」と記載する場合がある）やシェル温度が上限値を超えないようにするものが提案されている。例えば、特許文献１に記載の空気調和装置は、室外熱交換器や室内熱交換器に温度センサを備え、これら各温度センサを用いて各熱交換器が凝縮器として機能しているときの凝縮温度を検出している。そして、この空気調和装置では、凝縮温度を高い方から所定の温度幅で分けた圧縮機回転数の制御ゾーンを定めており、凝縮温度が高い方から順に、低下、保持、上昇、復帰、の４つのゾーンに分けている。
【０００４】
上述した空気調和装置では、検出した凝縮温度が低下ゾーンにある場合は、圧縮機の最大回転数を所定回転数に制限するとともに圧縮機回転数を所定の速度で低下させて凝縮温度を下げる。凝縮温度が低下して保持ゾーンの温度帯となった場合は、圧縮機回転数を保持する。この状態で凝縮温度が低下して上昇ゾーンの温度帯となった場合は、上述した最大回転数を上限として所定の速度で圧縮機回転数を上昇させる。さらに凝縮温度が低下して復帰ゾーンの温度帯となった場合は、上述した所定回転数をキャンセルして圧縮機回転数を最大回転数以上の回転数まで上昇させることを許可して、通常の圧縮機回転数制御に復帰させる。
【０００５】
このような温度保護制御では、圧縮機の回転数に最大回転数という上限を設定し、凝縮温度が低い段階から最大回転数を上限とし凝縮温度に応じて圧縮機の回転数を制御する。従って、圧縮機の運転負荷が急激に増加した場合でも吐出温度が上限値を超えないようにできるので、圧縮機の破損ひいては冷媒回路が機能しなくなることが防止できる。
【先行技術文献】
【特許文献】
【０００６】
【特許文献１】特開２０１０−２１０１９８号公報
【発明の概要】
【発明が解決しようとする課題】
【０００７】
圧縮機の吐出温度やシェル温度は、圧縮機の回転数の変化に伴って変化する。具体的には、圧縮機の回転数が上昇すれば吐出温度やシェル温度も上昇し、圧縮機の回転数が低下すれば吐出温度やシェル温度も低下する。このため、特許文献１に記載のように、検出した凝縮温度が低下ゾーンにある、つまり、圧縮機の吐出温度が上限値を超える可能性の高い凝縮温度である場合に、圧縮機の回転数を所定の速度で低下させることは、吐出温度が上限値を超えないようにするための有効な手段であると言える。
【０００８】
上記のような方法で圧縮機を制御して、吐出温度やシェル温度が上限値を超えないようにするためには、吐出温度やシェル温度を比較的短い間隔（例えば、３０秒毎）で検出し、検出した吐出温度やシェル温度に応じて圧縮機の回転数を制御する必要がある。これは、吐出温度やシェル温度を検出する間隔が長いと、先の検出から次の検出までの間に吐出温度やシェル温度が上昇してそれぞれの上限値を超えてしまい、吐出温度やシェル温度が上限値を超えた高い温度のまま次の検出のタイミングまで回転数が低下することなく圧縮機が駆動し続けることによって、圧縮機が破損する恐れがあるためである。
【０００９】
しかし、一般的には、圧縮機の回転数の変化に対して吐出温度やシェル温度の変化が遅れる。このため、吐出温度やシェル温度を短い間隔で検出し、検出した吐出温度やシェル温度に応じて圧縮機の回転数を制御すると、吐出温度やシェル温度が高くて圧縮機の回転数を低下させる場合に、吐出温度やシェル温度が低下し始める前に必要以上に圧縮機の回転数を低下させてしまう恐れがある。そして、温度保護制御中に必要以上に圧縮機の回転数を低下させてしまえば、室内機で発揮される空調能力が過剰に低下するという問題があった。
【００１０】
本発明は以上述べた問題点を解決するものであって、圧縮機の温度保護制御中に必要以上に圧縮機の回転数が低下することを防止できる空気調和装置を提供することを目的とする。
【課題を解決するための手段】
【００１１】
上記の課題を解決するために、本発明の空気調和装置は、圧縮機と、圧縮機の回転数に応じて変化する圧縮機温度を検出する圧縮機温度検出手段と、圧縮機温度検出手段で検出した圧縮機温度に基づいて圧縮機を制御する制御手段を有する。制御手段は、圧縮機温度が上昇しているときに、圧縮機温度が予め定められた第１温度以上となれば、圧縮機温度が第１温度より高い予め定められた第２温度以上ならないように、圧縮機の回転数を現在の回転数に保持する回転数保持制御と圧縮機の回転数を現在の回転数から所定の割合で減じる回転数とする回転数低下制御を少なくとも含む温度保護制御を実行するものである。そして、制御手段は、圧縮機温度が第１温度より高くかつ第２温度より低い第３温度と、第３温度より高く第２温度より低い第４温度で定められる第１温度帯に到達すれば、回転数低下制御を実行し、その後、圧縮機温度が第１温度帯に留まっていれば、回転数保持制御を実行する。
【発明の効果】
【００１２】
上記のように構成した本発明の空気調和装置によれば、圧縮機の温度保護制御中に必要以上に圧縮機の回転数が低下することを防止できる。従って、温度保護制御実行中に室内機で発揮される空調能力が過剰に低下することを防止できる。
【図面の簡単な説明】
【００１３】
【図１】本発明の実施形態における、空気調和装置の説明図であり、（Ａ）は冷媒回路図、（Ｂ）は室外機制御手段および室内機制御手段のブロック図である。
【図２】本発明の実施形態における、圧縮機温度−回転数相関図である。
【図３】本発明の実施形態における、室外機制御部での処理を説明するフローチャートである。
【発明を実施するための形態】
【００１４】
以下、本発明の実施の形態を、添付図面に基づいて詳細に説明する。実施形態としては、１台の室外機に３台の室内機が並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。
【実施例】
【００１５】
図１（Ａ）に示すように、本実施形態における空気調和装置１は、１台の室外機２と、室外機２に液管８およびガス管９で並列に接続された３台の室内機５ａ〜５ｃを備えている。詳細には、液管８は、一端が室外機２の閉鎖弁２５に、他端が分岐して室内機５ａ〜５ｃの各液管接続部５３ａ〜５３ｃに、それぞれ接続されている。また、ガス管９は、一端が室外機２の閉鎖弁２６に、他端が分岐して室内機５ａ〜５ｃの各ガス管接続部５４ａ〜５４ｃに、それぞれ接続されている。以上により、空気調和装置１の冷媒回路１００が構成されている。
【００１６】
まずは、室外機２について説明する。室外機２は、圧縮機２１と、四方弁２２と、室外熱交換器２３と、室外膨張弁２４と、液管８の一端が接続された閉鎖弁２５と、ガス管９の一端が接続された閉鎖弁２６と、室外ファン２７と、アキュムレータ２８を備えている。そして、室外ファン２７を除くこれら各装置が以下で詳述する各冷媒配管で相互に接続されて、冷媒回路１００の一部をなす室外機冷媒回路２０を構成している。
【００１７】
圧縮機２１は、インバータにより回転数が制御される図示しないモータによって駆動されることで、運転容量を可変できる能力可変型圧縮機である。圧縮機２１の冷媒吐出側は、後述する四方弁２２のポートａと吐出管４１で接続されており、また、圧縮機２１の冷媒吸入側は、アキュムレータ２８の冷媒流出側と吸入管４２で接続されている。
【００１８】
四方弁２２は、冷媒の流れる方向を切り換えるための弁であり、ａ、ｂ、ｃ、ｄの４つのポートを備えている。ポートａは、上述したように圧縮機２１の冷媒吐出側と吐出管４１で接続されている。ポートｂは、室外熱交換器２３の一方の冷媒出入口と冷媒配管４３で接続されている。ポートｃは、アキュムレータ２８の冷媒流入側と冷媒配管４６で接続されている。そして、ポートｄは、閉鎖弁２６と室外機ガス管４５で接続されている。
【００１９】
室外熱交換器２３は、冷媒と、後述する室外ファン２７の回転により室外機２の内部に取り込まれた外気を熱交換させるものである。室外熱交換器２３の一方の冷媒出入口は、上述したように四方弁２２のポートｂと冷媒配管４３で接続され、他方の冷媒出入口は閉鎖弁２５と室外機液管４４で接続されている。
【００２０】
室外膨張弁２４は、室外機液管４４に設けられている。室外膨張弁２４は電子膨張弁であり、その開度が調整されることで、室外熱交換器２３に流入する冷媒量、あるいは、室外熱交換器２３から流出する冷媒量を調整する。
【００２１】
室外ファン２７は樹脂材で形成されており、室外熱交換器２３の近傍に配置されている。室外ファン２７は、図示しないファンモータによって回転することで図示しない吸込口から室外機２の内部へ外気を取り込み、室外熱交換器２３において冷媒と熱交換した外気を図示しない吹出口から室外機２の外部へ放出する。
【００２２】
アキュムレータ２８は、上述したように、冷媒流入側が四方弁２２のポートｃと冷媒配管４６で接続されるとともに、冷媒流出側が圧縮機２１の冷媒吸入側と吸入管４２で接続されている。アキュムレータ２８は、冷媒配管４６からアキュムレータ２８の内部に流入した冷媒をガス冷媒と液冷媒に分離してガス冷媒のみを圧縮機２１に吸入させる。
【００２３】
以上説明した構成の他に、室外機２には各種のセンサが設けられている。図１（Ａ）に示すように、吐出管４１には、圧縮機２１から吐出される冷媒の圧力である吐出圧力を検出する吐出圧力センサ３１と、圧縮機２１から吐出される冷媒の温度である吐出温度を検出する吐出温度センサ３３が設けられている。冷媒配管４６におけるアキュムレータ２８の冷媒流入口近傍には、圧縮機２１に吸入される冷媒の圧力を検出する吸入圧力センサ３２と、圧縮機２１に吸入される冷媒の温度を検出する吸入温度センサ３４とが設けられている。
【００２４】
室外機液管４４における室外熱交換器２３と室外膨張弁２４との間には、室外熱交換器２３に流入する冷媒の温度あるいは室外熱交換器２３から流出する冷媒の温度を検出するための熱交温度センサ３５が設けられている。室外機２の図示しない吸込口付近には、室外機２の内部に流入する外気の温度、すなわち外気温度を検出する外気温度センサ３６が備えられている。圧縮機２１の図示しない密閉容器の表面には、圧縮機２１のシェル温度を検出するシェル温度センサ３７が備えられている。尚、シェル温度センサ３７は、圧縮機２１の密閉容器内部に格納されている図示しない圧縮室の位置に対応する密閉容器表面に配置されている。
【００２５】
また、室外機２には、室外機制御手段２００が備えられている。室外機制御手段２００は、室外機２の図示しない電装品箱に格納されている制御基板に搭載されている。図１（Ｂ）に示すように、室外機制御手段２００は、ＣＰＵ２１０と、記憶部２２０と、通信部２３０と、センサ入力部２４０とを備えている。
【００２６】
記憶部２２０は、ＲＯＭやＲＡＭで構成されており、室外機２の制御プログラムや各種センサからの検出信号に対応した検出値、圧縮機２１や室外ファン２７の制御状態等を記憶している。通信部２３０は、室内機５ａ〜５ｃとの通信を行うインターフェイスである。センサ入力部２４０は、室外機２の各種センサでの検出結果を取り込んでＣＰＵ２１０に出力する。
【００２７】
ＣＰＵ２１０は、前述した室外機２の各センサでの検出結果をセンサ入力部２４０を介して取り込む。また、ＣＰＵ２１０は、室内機５ａ〜５ｃから送信される制御信号を通信部２３０を介して取り込む。ＣＰＵ２１０は、取り込んだ検出結果や制御信号に基づいて、圧縮機２１や室外ファン２７の駆動制御を行う。また、ＣＰＵ２１０は、取り込んだ検出結果や制御信号に基づいて、四方弁２２の切り換え制御を行う。さらには、ＣＰＵ２１０は、取り込んだ検出結果や制御信号に基づいて、室外膨張弁２４の開度調整を行う。
【００２８】
次に、３台の室内機５ａ〜５ｃについて説明する。３台の室内機５ａ〜５ｃは、室内熱交換器５１ａ〜５１ｃと、室内膨張弁５２ａ〜５２ｃと、分岐した液管８の他端が接続された液管接続部５３ａ〜５３ｃと、分岐したガス管９の他端が接続されたガス管接続部５４ａ〜５４ｃと、室内ファン５５ａ〜５５ｃを備えている。そして、室内ファン５５ａ〜５５ｃを除くこれら各装置が以下で詳述する各冷媒配管で相互に接続されて、冷媒回路１００の一部をなす室内機冷媒回路５０ａ〜５０ｃを構成している。
【００２９】
尚、室内機５ａ〜５ｃの構成は全て同じであるため、以下の説明では、室内機５ａの構成についてのみ説明を行い、その他の室内機５ｂ、５ｃについては説明を省略する。また、図１では、室内機５ａの構成装置に付与した番号の末尾をａからｂおよびｃにそれぞれ変更したものが、室外機５ａの構成装置と対応する室内機５ｂ、５ｃの構成装置となる。
【００３０】
室内熱交換器５１ａは、冷媒と後述する室内ファン５５ａの回転により図示しない吸込口から室内機５ａの内部に取り込まれた室内空気を熱交換させるものであり、一方の冷媒出入口が液管接続部５３ａと室内機液管７１ａで接続され、他方の冷媒出入口がガス管接続部５４ａと室内機ガス管７２ａで接続されている。室内熱交換器５１ａは、室内機５ａが冷房運転を行う場合は蒸発器として機能し、室内機５ａが暖房運転を行う場合は凝縮器として機能する。尚、液管接続部５３ａやガス管接続部５４ａには、各冷媒配管が溶接やフレアナット等により接続されている。
【００３１】
室内膨張弁５２ａは、室内機液管７１ａに設けられている。室内膨張弁５２ａは電子膨張弁であり、室内熱交換器５１ａが蒸発器として機能する場合すなわち室内機５ａが冷房運転を行う場合は、その開度は、室内熱交換器５１ａの冷媒出口（ガス管接続部５４ａ側）での冷媒過熱度が目標冷媒過熱度となるように調整される。また、室内膨張弁５２ａは、室内熱交換器５１ａが凝縮器として機能する場合すなわち室内機５ａが暖房運転を行う場合は、その開度は、室内熱交換器５１ａの冷媒出口（液管接続部５３ａ側）での冷媒過冷却度が目標冷媒過冷却度となるように調整される。ここで、目標冷媒過熱度や目標冷媒過冷却度は、室内機５ａで十分な暖房能力あるいは冷房能力が発揮されるための値である。
【００３２】
室内ファン５５ａは樹脂材で形成されており、室内熱交換器５１ａの近傍に配置されている。室内ファン５５ａは、図示しないファンモータによって回転することで、図示しない吸込口から室内機５ａの内に室内空気を取り込み、室内熱交換器５１ａにおいて冷媒と熱交換した室内空気を図示しない吹出口から室内へ供給する。
【００３３】
以上説明した構成の他に、室内機５ａには各種のセンサが設けられている。室内機液管７１ａにおける室内熱交換器５１ａと室内膨張弁５２ａの間には、室内熱交換器５１ａに流入あるいは室内熱交換器５１ａから流出する冷媒の温度を検出する液側温度センサ６１ａが設けられている。室内機ガス管７２ａには、室内熱交換器５１ａから流出あるいは室内熱交換器５１ａに流入する冷媒の温度を検出するガス側温度センサ６２ａが設けられている。室内機５ａの図示しない吸込口付近には、室内機５ａの内部に流入する室内空気の温度、すなわち室内温度を検出する室内温度センサ６３ａが備えられている。
【００３４】
また、室内機５ａには、室内機制御手段５００ａが備えられている。室内機制御手段５００ａは、室内機５ａの図示しない電装品箱に格納された制御基板に搭載されており、図１（Ｂ）に示すように、ＣＰＵ５１０ａと、記憶部５２０ａと、通信部５３０ａと、センサ入力部５４０ａを備えている。
【００３５】
記憶部５２０ａは、ＲＯＭやＲＡＭで構成されており、室内機５ａの制御プログラムや各種センサからの検出信号に対応した検出値、使用者による空調運転に関する設定情報等を記憶する。通信部５３０ａは、室外機２および他の室内機５ｂ、５ｃとの通信を行うインターフェイスである。センサ入力部５４０ａは、室内機５ａの各種センサでの検出結果を取り込んでＣＰＵ５１０ａに出力する。
【００３６】
ＣＰＵ５１０ａは、前述した室内機５ａの各センサでの検出結果をセンサ入力部５４０ａを介して取り込む。また、ＣＰＵ５１０ａは、使用者が図示しないリモコンを操作して設定した運転情報やタイマー運転設定等を含んだ信号を図示しないリモコン受光部を介して取り込む。また、ＣＰＵ５１０ａは、運転開始／停止信号や運転情報（設定温度や室内温度等）を含んだ制御信号を、通信部５３０ａを介して室外機２に送信するとともに、室外機２が検出した吐出圧力等の情報を含む制御信号を通信部５３０ａを介して室外機２から受信する。ＣＰＵ５１０ａは、取り込んだ検出結果やリモコンおよび室外機２から送信された信号に基づいて、室内膨張弁５２ａの開度調整や、室内ファン５５ａの駆動制御を行う。
【００３７】
次に、本実施形態における空気調和装置１の空調運転時の冷媒回路１００における冷媒の流れや各部の動作について、図１（Ａ）を用いて説明する。尚、以下の説明では、室内機５ａ〜５ｃが暖房運転を行う場合について説明し、冷房運転や除霜運転を行う場合については詳細な説明を省略する。また、図１（Ａ）における矢印は、暖房運転時の冷媒の流れを示している。
【００３８】
図１（Ａ）に示すように、室内機５ａ〜５ｃが暖房運転を行う場合、室外機制御手段２００のＣＰＵ２１０は、四方弁２２を実線で示す状態、すなわち、四方弁２２のポートａとポートｄが連通するように、また、ポートｂとポートｃが連通するように切り換える。これにより、冷媒回路１００は、室外熱交換器２３が蒸発器として機能するとともに室内熱交換器５１ａ〜５１ｃが凝縮器として機能する暖房サイクルとなる。
【００３９】
圧縮機２１から吐出された高圧の冷媒は、吐出管４１を流れて四方弁２２に流入し、四方弁２２から室外機ガス管４５、閉鎖弁２６、ガス管９、ガス管接続部５４ａ〜５４ｃの順に流れて室内機５ａ〜５ｃに流入する。室内機５ａ〜５ｃに流入した冷媒は、室内機ガス管７２ａ〜７２ｃを流れて室内熱交換器５１ａ〜５１ｃに流入し、室内ファン５５ａ〜５５ｃの回転により室内機５ａ〜５ｃの内部に取り込まれた室内空気と熱交換を行って凝縮する。このように、室内熱交換器５１ａ〜５１ｃが凝縮器として機能し、室内熱交換器５１ａ〜５１ｃで冷媒と熱交換を行った室内空気が図示しない吹出口から室内に吹き出されることによって、室内機５ａ〜５ｃが設置された室内の暖房が行われる。
【００４０】
室内熱交換器５１ａ〜５１ｃから流出した冷媒は室内機液管７１ａ〜７１ｃを流れ、室内膨張弁５２ａ〜５２ｃを通過して減圧される。減圧された冷媒は、室内機液管７１ａ〜７１ｃ、液管接続部５３ａ〜５３ｃを流れて液管８に流入する。
【００４１】
液管８を流れる冷媒は、閉鎖弁２５を介して室外機２に流入する。室外機２に流入した冷媒は、室外機液管４４を流れ、室外膨張弁２４を通過するときにさらに減圧される。室外機液管４４から室外熱交換器２３に流入した冷媒は、室外ファン２７の回転により室外機２の内部に取り込まれた外気と熱交換を行って蒸発する。室外熱交換器２３から流出した冷媒は、冷媒配管４３、四方弁２２、冷媒配管４６、アキュムレータ２８、吸入管４２の順に流れ、圧縮機２１に吸入されて再び圧縮される。
【００４２】
尚、室内機５ａ〜５ｃが冷房運転や除霜運転を行う場合、ＣＰＵ２１０は、四方弁２２を破線で示す状態、すなわち、四方弁２２のポートａとポートｂが連通するよう、また、ポートｃとポートｄが連通するように切り換える。これにより、冷媒回路１００が、室外熱交換器２３が凝縮器として機能するとともに室内熱交換器５１ａ〜５１ｃが蒸発器として機能する冷房サイクルとなる。
【００４３】
次に、図１乃至図３を用いて、本実施形態の空気調和装置１で実行される温度保護制御について詳細に説明する。ここで、温度保護制御とは、吐出温度センサ３３で検出する圧縮機２１の吐出温度（単位：℃。以降、吐出温度Ｔｄと記載する）が、予め定められている圧縮機２１の吐出温度の上限値を超えないように、および、シェル温度センサ３７で検出する圧縮機２１の温度であるシェル温度（単位：℃。以降、シェル温度Ｔｃと記載する）が、予め定められている圧縮機２１のシェル温度の上限値を超えないように、圧縮機２１の回転数を制御するものである。
【００４４】
上述した温度保護制御において、吐出温度Ｔｄに加えてシェル温度Ｔｃも制御の対象とする理由は次の通りである。例えば、室外機２に冷媒を回収するポンプダウン運転を行うときや、室外膨張弁２４が故障する等、室外膨張弁２４が全閉となった状態で圧縮機２１が駆動し続けると、圧縮機２１に吸入される冷媒量が減少して圧縮機２１から吐出される冷媒量も減少し、この状態が継続すると圧縮機２１から冷媒が吐出されなくなる。このような状態では、吐出管４１を流れる冷媒がなくなるので、吐出温度Ｔｄは低下する。
【００４５】
一方、圧縮機２１は、圧縮される冷媒がないあるいは非常に少ない状態となるので、圧縮機２１の図示しない機構部等が冷却されずシェル温度Ｔｃが上昇して上限値を越え、圧縮機２１が破損する恐れがある。そこで、温度保護制御においてシェル温度Ｔｃも制御の対象とすることで、上述した吸入冷媒の減少に起因するシェル温度Ｔｃの過昇を抑えて圧縮機２１の破損を防止できる。
【００４６】
上記圧縮機２１の回転数制御は、図２に示す圧縮機温度−回転数相関図３００に従って実行される。この圧縮機温度−回転数相関図３００は、予め試験等を行って室外機制御手段２００の記憶部２２０に記憶されているものである。尚、吐出温度Ｔｄとシェル温度Ｔｃが、本発明の圧縮機温度に相当し、吐出温度センサ３３とシェル温度センサ３７が、本発明の圧縮機温度検出手段である。
【００４７】
圧縮機温度−回転数相関図３００では、吐出温度Ｔｄが８０℃から１２０℃の間を、また、シェル温度Ｔｃが８５℃〜１３０℃の間を、それぞれ複数の温度帯に分け各温度帯に圧縮機２１の回転数の制御態様を割り当てている。また、圧縮機２１の回転数制御のハンチングを防ぐために、吐出温度Ｔｄあるいはシェル温度Ｔｃのうちの少なくとも一方が上昇しているとき（以降、単に「温度上昇時」と記載する場合がある）と、吐出温度Ｔｄおよびシェル温度Ｔｃが下降しているとき（以降、単に「温度低下時」と記載する場合がある）で、設ける温度帯と各温度帯に割り当てられる制御態様を異ならせている。
【００４８】
圧縮機温度−回転数相関図３００において、温度上昇時に通常制御が割り当てられた温度帯と後述する温度保護制御のうちのひとつである回転数保持制御が割り当てられた温度帯の境目となる吐出温度Ｔｄ（＝１０５℃）とシェル温度Ｔｃ（１１０℃）が第１温度である。温度上昇時に吐出温度Ｔｄあるいはシェル温度Ｔｃのうちの一方が第１温度以上となれば、通常制御から温度保護制御に切り換えられる。
【００４９】
また、温度低下時に後述する温度保護制御のうちのひとつである回転数上昇制御が割り当てられた温度帯と通常制御が割り当てられた温度帯の境目となる吐出温度Ｔｄ（＝８０℃）とシェル温度Ｔｃ（８５℃）が第５温度である。温度低下時に吐出温度Ｔｄおよびシェル温度Ｔｃが温度保護制御終了温度未満となれば、温度保護制御から通常制御に切り換えられる。
【００５０】
また、温度上昇時／温度低下時のいずれにおいても、後述する温度保護制御のうちのひとつである回転数低下制御が割り当てられた温度帯のうちの一番高い温度（吐出温度Ｔｄであれば１２０℃、シェル温度Ｔｃであれば１３０℃）は、前述した圧縮機２１の吐出温度Ｔｄの上限値とシェル温度Ｔｃの上限値の各々から所定温度（例えば、５℃）低い温度とされた第２温度である。吐出温度Ｔｄあるいはシェル温度Ｔｃが第２温度以上であるときは、圧縮機２１の制御態様として保護停止制御が割り当てられている。保護停止制御では、吐出温度Ｔｄやシェル温度Ｔｃがそれぞれの上限温度を越えないようにするために、圧縮機２１の運転を停止する。
【００５１】
以上述べた第１温度、第２温度、および、第５温度は、予め試験等を行って定められた温度である。また、吐出温度Ｔｄやシェル温度Ｔｃの上昇／低下は、定期的に取り込んだ吐出温度Ｔｄやシェル温度Ｔｃを時系列で比較することによって判断される。
【００５２】
まずは、圧縮機温度−回転数相関図３００における温度上昇時の温度帯および制御態様について説明する。吐出温度Ｔｄおよびシェル温度Ｔｃが各々の第１温度未満である、つまり、吐出温度Ｔｄが１０５℃未満およびシェル温度Ｔｃが１１０℃未満であるときは、圧縮機２１の制御態様として通常制御が割り当てられている。通常制御では、室内機５ａ〜５ｃで要求される空調能力に応じた回転数で圧縮機２１を駆動制御する。温度上昇時に吐出温度Ｔｄおよびシェル温度Ｔｃが各々の第１温度未満であれば、吐出温度Ｔｄあるいはシェル温度Ｔｃが各々の第２温度以上の温度となる可能性は低いので、温度保護制御は行わず通常制御を行う。
【００５３】
吐出温度Ｔｄやシェル温度Ｔｃが上昇し、吐出温度Ｔｄあるいはシェル温度Ｔｃが第１温度以上となる場合については次の通りである。まず、吐出温度Ｔｄについては１０５℃以上１１０℃未満の温度帯、シェル温度Ｔｃについては１１０℃以上１１５℃未満の温度帯の各々を第２温度帯とし、この第２温度帯には、圧縮機２１の制御態様として回転数保持制御が割り当てられる。回転数保持制御では、圧縮機２１の回転数を現在の回転数に保持する（回転数を変化させない）。温度上昇時に吐出温度Ｔｄあるいはシェル温度Ｔｃが各々の第２温度帯まで上昇すれば、各々が第１温度未満である場合と比べて吐出温度Ｔｄあるいはシェル温度Ｔｃが各々の第２温度以上の温度となる可能性は高くなる。このため、この場合は通常制御から温度保護制御に切り換えて、回転数保持制御を行って圧縮機２１の回転数を現在の回転数に保持することで、吐出温度Ｔｄおよびシェル温度Ｔｃの上昇を抑制する。
【００５４】
次に、吐出温度Ｔｄについては１１０℃以上１１５℃未満の温度帯、シェル温度Ｔｃについては１１５℃以上１２０℃未満の温度帯の各々を第１温度帯とする。この第１温度帯では、回転数保持制御と次に説明する回転数低下制御のいずれかが選択されて実行される。尚、回転数保持制御あるいは回転数低下制御の選択の方法やその理由・効果については、後に詳細に説明する。
【００５５】
次に、吐出温度Ｔｄについては１１５℃以上１２０℃未満の温度帯、シェル温度Ｔｃについては１２０℃以上１３０℃未満の温度帯の各々を第３温度帯とし、この第３温度帯には、圧縮機２１の制御態様として回転数低下制御が割り当てられる。回転数低下制御では、圧縮機２１の回転数を所定の割合で低下させる、例えば、所定時間毎（例えば、３０秒毎）に現在の回転数から所定の回転数Ａｒｐｓ（例えば、６ｒｐｓ）を減じた回転数とする。温度上昇時に吐出温度Ｔｄあるいはシェル温度Ｔｃが第３温度帯まで上昇すれば、吐出温度Ｔｄあるいはシェル温度Ｔｃが各々の第２温度以上の温度となる可能性は非常に高くなる。このため、この場合は回転数低下制御を行って圧縮機２１の回転数を低下させることで、吐出温度Ｔｄおよびシェル温度Ｔｃの上昇を止め、吐出温度Ｔｄおよびシェル温度Ｔｃを低下させる。
【００５６】
次に、圧縮機温度−回転数相関図３００における温度低下時の温度帯および制御態様について説明する。吐出温度Ｔｄについては１１５℃以上１２０℃未満の温度帯、シェル温度Ｔｃについては１２０℃以上１３０℃未満の温度帯の各々を第４温度帯とし、この第４温度帯には、圧縮機２１の制御態様として温度上昇時と同じ回転数低下制御が割り当てられる。回転数低下制御を行って圧縮機２１の回転数を低下させることで、吐出温度Ｔｄおよびシェル温度Ｔｃが再び上昇に転じないようにする。
【００５７】
次に、吐出温度Ｔｄについては１０５℃以上１１５℃未満の温度帯、シェル温度Ｔｃについては１１０℃以上１２０℃未満の温度帯の各々を第５温度帯とし、この第５温度帯には、圧縮機２１の制御態様として温度上昇時と同じ回転数保持制御が割り当てられる。回転数保持制御を行って圧縮機２１の回転数を現在の回転数に保持することで、吐出温度Ｔｄおよびシェル温度Ｔｃが再び上昇に転じることを防ぎつつ、吐出温度Ｔｄおよびシェル温度Ｔｃが必要以上に低下して室内機５ａ〜５ｃで発揮される空調能力が低下することを抑制する。
【００５８】
次に、吐出温度Ｔｄについては８０℃以上１０５℃未満の温度帯、シェル温度Ｔｃについては８５℃以上１１１０℃未満の温度帯の各々を第６温度帯とし、この第６温度帯には、圧縮機２１の制御態様として回転数上昇制御が割り当てられる。回転数上昇制御では、圧縮機２１の回転数を、所定の割合で上昇させる、例えば、所定時間毎（例えば、３０秒毎）に現在の回転数に所定の回転数Ｂｒｐｓ（例えば、１ｒｐｓ）を加えた回転数とする。吐出温度Ｔｄやシェル温度Ｔｃがこの温度帯の温度まで低下している場合は、これまでの各制御で圧縮機２１の回転数が大きく低下していることが考えられ、圧縮機２１の回転数低下により室内機５ａ〜５ｃで発揮される空調能力が低下している可能性がある。
【００５９】
しかし、ここで空調能力を上げるために圧縮機２１の回転数を急激に上昇させると、再び室内機５ａ〜５ｃで吐出温度Ｔｄやシェル温度Ｔｃが急激に上昇して吐出温度Ｔｄあるいはシェル温度Ｔｃが各々の第２温度まで上昇する恐れがある。このため、回転数上昇制御を行って圧縮機２１の回転数をゆっくり上昇させることで、吐出温度Ｔｄやシェル温度Ｔｃの急激な上昇を抑制しつつ、室内機５ａ〜５ｃで発揮される空調能力を上昇させる。
【００６０】
そして、吐出温度Ｔｄおよびシェル温度Ｔｃが第５温度未満となれば、圧縮機２１の制御態様として温度上昇時と同じ通常制御が割り当てられている。吐出温度Ｔｄやシェル温度Ｔｃがこの温度帯の温度まで低下していれば、吐出温度Ｔｄあるいはシェル温度Ｔｃが各々の第２温度以上の温度となる可能性はかなり低くなるので、温度保護制御から通常制御に切り換えて、室内機５ａ〜５ｃで要求される空調能力に応じた回転数で圧縮機２１を駆動制御する。
【００６１】
尚、上述した圧縮機温度−回転数相関図の説明で、温度上昇時は例えば「吐出温度Ｔｄあるいはシェル温度Ｔｃが第１温度以上」と記載し、温度低下時は例えば「吐出温度Ｔｄおよびシェル温度Ｔｃが第５温度未満」と記載した。つまり、温度上昇時は吐出温度Ｔｄあるいはシェル温度Ｔｃのうちいずれか一方が各温度帯の温度まで上昇すれば当該温度帯に割り当てられている制御を実行し、温度下降時は吐出温度Ｔｄとシェル温度Ｔｃの両方が各温度帯の温度まで低下すれば当該温度帯に割り当てられている制御を実行するということである。
【００６２】
温度保護制御は、吐出温度Ｔｄとシェル温度Ｔｃがともに各々の上限値を越えないようにするために実施する制御である。従って、温度上昇時は、吐出温度Ｔｄあるいはシェル温度Ｔｃのうちいずれか一方のみが各温度帯を定める温度（第１温度〜第4温度）を越えて次の温度帯まで上昇した場合であっても、当該次の温度帯に割り当てられている制御を行うことで、吐出温度Ｔｄやシェル温度Ｔｃの上昇を抑制する。一方、温度低下時は、吐出温度Ｔｄあるいはシェル温度Ｔｃのうちいずれか一方のみが各温度帯を定める温度（第１温度、第３温度、第4温度、および第５温度）を越えて次の温度帯まで低下した場合に、当該次の温度帯に割り当てられている制御を行うと、もう一方の温度が再び上昇する恐れがある。このため、温度低下時は、吐出温度Ｔｄとシェル温度Ｔｃの両方が各温度帯を定める温度（第１温度、第３温度、第4温度、および第５温度）を越えて次の温度帯まで低下した場合に、当該次の温度帯に割り当てられている制御を行う。
【００６３】
また、回転数低下制御を行うときに、圧縮機２１の現在の回転数から減じる所定の回転数Ａと、回転数上昇制御を行うときに、圧縮機２１の現在の回転数に加える所定の回転数Ｂは、それぞれが予め試験等を行って求められ記憶部２２０に記憶されている値である。所定の回転数Ａは、室内機５ａ〜５ｃで発揮される空調能力の低下を最小限にしつつ、吐出温度Ｔｄやシェル温度Ｔｃを低下できることが確認できている値である。また、所定の回転数Ｂは、吐出温度Ｔｄやシェル温度Ｔｃの急激な上昇を抑制しつつ、室内機５ａ〜５ｃで発揮される空調能力を上昇できることが確認できている値である。
【００６４】
次に、第１温度帯について説明する。前述したように、第１温度帯は、吐出温度Ｔｄについては１１０℃以上１１５℃未満の温度帯、シェル温度Ｔｃについては１１５℃以上１２０℃未満の温度帯である。尚、第３温度（吐出温度Ｔｄについては１１０℃、シェル温度Ｔｃについては１１５℃）と第４温度（吐出温度Ｔｄについては１１５℃、シェル温度Ｔｃについては１２０℃）も、前述した第１温度、第２温度、および、第５温度と同様に、予め試験等を行って定められた温度である。
【００６５】
第１温度帯には、回転数保持制御と回転数低下制御のうちのいずれかが、温度上昇時の吐出温度Ｔｄあるいはシェル温度Ｔｃに応じて割り当てられる。具体的には、少なくとも、温度上昇時に吐出温度Ｔｄあるいはシェル温度Ｔｃのうちの一方が初めて第１温度帯の温度まで上昇しかつ他方が第４温度以上の温度となっていないときは、回転数低下制御が割り当てられる。一方、第１温度帯において一度回転数低下制御を行った以降に、吐出温度Ｔｄおよびシェル温度Ｔｃがいずれも第４温度未満の温度であり、かつ、吐出温度Ｔｄあるいはシェル温度Ｔｃのうちの少なくとも一方が第１温度帯の温度に留まっているときは、回転数保持制御が割り当てられる。このように、第１温度帯で異なる制御態様を割り当てている理由は以下の通りである。
【００６６】
まず、温度上昇時に吐出温度Ｔｄあるいはシェル温度Ｔｃのうちの少なくとも一方が初めて第１温度帯まで上昇したときは、それまでに行っていた回転数保持制御で圧縮機２１の回転数を変化させていないにも関わらず、吐出温度Ｔｄあるいはシェル温度Ｔｃが上昇しているということである。
【００６７】
従って、吐出温度Ｔｄあるいはシェル温度Ｔｃのうちの少なくとも一方が初めて第１温度帯の温度まで上昇しかつ他方が第４温度以上の温度となっていないときは、回転数低下制御を実行して圧縮機２１の回転数をそれまで行っていた回転数保持制御時の回転数よりＡｒｐｓ低い回転数に低下させる。これにより、吐出温度Ｔｄあるいはシェル温度Ｔｃの上昇が緩やかになる、あるいは、上昇が止まる。
【００６８】
しかし、実際に吐出温度センサ３３で検出する吐出温度Ｔｄやシェル温度センサ３７で検出するシェル温度Ｔｃは、圧縮機２１の回転数の低下に遅れて低下する。つまり、吐出温度Ｔｄあるいはシェル温度Ｔｃのうちの少なくとも一方が初めて第１温度帯まで上昇して圧縮機２１の回転数を低下させた直後の吐出温度センサ３３で検出する吐出温度Ｔｄやシェル温度センサ３７で検出するシェル温度Ｔｃは、先に検出した吐出温度Ｔｄやシェル温度Ｔｃとさほど変わらない温度である可能性がある。
【００６９】
上記のような場合は、圧縮機２１の回転数を低下させてからしばらく時間をおいて吐出温度Ｔｄやシェル温度Ｔｃを検出すれば、圧縮機２１の回転数低下に起因して低下した吐出温度Ｔｄやシェル温度Ｔｃが検出できる。しかし、実際は、吐出温度Ｔｄやシェル温度Ｔｃは短い間隔（例えば、３０秒）で検出され、この検出された吐出温度Ｔｄやシェル温度Ｔｃに基づいて選択された制御態様が再び回転数低下制御であれば、圧縮機２１の回転数が必要以上に下げられて、室内機５ａ〜５ｃで発揮される空調能力が不要に低下してしまう恐れがある。
【００７０】
そこで、本実施形態の空気調和装置１では、温度上昇時に吐出温度Ｔｄあるいはシェル温度Ｔｃのうちの少なくとも一方が初めて第１温度帯の温度まで上昇しかつ他方が第４温度以上の温度となっていないときは、回転数低下制御を実行し、その後、吐出温度Ｔｄおよびシェル温度Ｔｃがいずれも第４温度未満の温度でありかつ吐出温度Ｔｄあるいはシェル温度Ｔｃのうちの少なくとも一方が第１温度帯に留まっているときは、回転数保持制御を実行する。そして、吐出温度Ｔｄおよびシェル温度Ｔｃがいずれも第４温度未満の温度でありかつ吐出温度Ｔｄあるいはシェル温度Ｔｃのうちの少なくとも一方が第１温度帯に留まっている状態が継続する限りは、回転数保持制御を継続する。
【００７１】
以上のように第１温度帯で圧縮機２１の制御態様を異ならせることで、吐出温度Ｔｄあるいはシェル温度Ｔｃのうちの少なくとも一方が初めて第１温度帯まで上昇して、圧縮機２１の回転数を低下させた後に、必要以上に圧縮機２１の回転数が低下させられることを防ぐことができる。これにより、室内機５ａ〜５ｃで発揮される空調能力の不要な低下を防ぎつつ、吐出温度Ｔｄやシェル温度Ｔｃが第２温度を超えて圧縮機２１が停止することを抑制できる。
【００７２】
次に、図３を用いて、本実施形態の空気調和装置１が温度保護制御を行う際の処理の流れについて説明する。尚、図３において、ＳＴはステップを表し、これに続く数字はステップ番号を表している。また、図３では本発明に関わる処理を中心に説明しており、これ以外の処理、例えば、使用者の指示した設定温度や風量等の運転条件に対応した冷媒回路１００の制御、といった、空気調和装置１に関わる一般的な処理については説明を省略している。
【００７３】
空調運転が開始されると、まず、ＣＰＵ２１０は、フラグＦａとフラグＦｂをともに０とする（ＳＴ１）。ここで、フラグＦａは、圧縮機２１の回転数制御が通常制御であるか温度保護制御であるかを示すものであり、フラグＦａ＝０が通常制御であることを、フラグＦａ＝１が温度保護制御であることをそれぞれ示す。このフラグＦａは、吐出温度Ｔｄやシェル温度Ｔｃが上昇していずれか一方が第１温度（本実施形態では、吐出温度Ｔｄが１０５℃、シェル温度Ｔｃが１１０℃）以上となればフラグＦａ＝１とされ、吐出温度Ｔｄやシェル温度Ｔｃが低下して吐出温度Ｔｄおよびシェル温度Ｔｃが両方とも温度保護制御停止温度（本実施形態では、吐出温度Ｔｃが８０℃、シェル温度Ｔｃが８５℃）未満となればフラグＦａ＝０とされる。
【００７４】
また、フラグＦｂは、温度上昇時に吐出温度Ｔｄあるいはシェル温度Ｔｃのいずれか一方が第１温度帯（本実施形態では、吐出温度Ｔｄが１１０℃以上１１５℃未満の温度帯、シェル温度Ｔｃが１１５℃以上１２０℃未満の温度帯）まで上昇したか否かを示すものであり、フラグＦｂ＝０であれば吐出温度Ｔｄおよびシェル温度Ｔｃが第１温度帯まで上昇していないことを、フラグＦｂ＝１であれば吐出温度Ｔｄあるいはシェル温度Ｔｃのいずれか一方が第１温度帯まで上昇したことをそれぞれ示す。このフラグＦｂは、吐出温度Ｔｄあるいはシェル温度Ｔｃのいずれか一方が上昇して第１温度帯まで上昇すればフラグＦｂ＝１とされ、吐出温度Ｔｄやシェル温度Ｔｃが低下して吐出温度Ｔｄおよびシェル温度Ｔｃが両方とも第１温度未満となればフラグＦｂ＝０とされる。
【００７５】
次に、ＣＰＵ２１０は、吐出温度Ｔｄとシェル温度Ｔｃを取り込む（ＳＴ２）。ＣＰＵ２１０は、吐出温度センサ３３が検出した吐出温度Ｔｄと、シェル温度センサ３７が検出したシェル温度Ｔｃを、センサ入力部２４０を介して定期的（３０秒毎）に取り込み、取り込んだ吐出温度Ｔｄとシェル温度Ｔｃを時系列で記憶部２２０に記憶している。
【００７６】
次に、ＣＰＵ２１０は、取り込んだ吐出温度Ｔｄが１０５℃未満およびシェル温度Ｔｃが１１０℃未満であるか否かを判断する（ＳＴ３）。吐出温度Ｔｄが１０５℃未満およびシェル温度Ｔｃが１１０℃未満であれば（ＳＴ３−Ｙｅｓ）、ＣＰＵ２１０は、フラグＦｂを０とする（ＳＴ４）。尚、ＳＴ４の処理が運転開始直後であれば、ＳＴ１でフラグＦｂは０とされているので、ＣＰＵ２１０はフラグＦｂが０の状態を維持し、後述するＳＴ１３の処理でフラグＦｂは１とされた後、つまり、吐出温度Ｔｄあるいはシェル温度Ｔｃのいずれか一方が第３温度以上の温度となった後であれば、ＣＰＵ２１０はフラグＦｂを１から０に変更する。
【００７７】
次に、ＣＰＵ２１０は、フラグＦａが１であるか否かを判断する（ＳＴ５）。フラグＦａが１でなければ（ＳＴ５−Ｎｏ）、ＣＰＵ２１０は、通常制御を実行し（ＳＴ６）ＳＴ２に処理を戻す。フラグＦａが１であれば（ＳＴ５−Ｙｅｓ）、ＣＰＵ２１０は、取り込んだ吐出温度Ｔｄが８０℃未満およびシェル温度Ｔｃが８５℃未満であるか否かを判断する（ＳＴ７）。
【００７８】
取り込んだ吐出温度Ｔｄが８０℃未満およびシェル温度Ｔｃが８５℃未満であれば（ＳＴ７−Ｙｅｓ）、ＣＰＵ２１０は、フラグＦａを０として（ＳＴ８）、ＳＴ６に処理を進める。取り込んだ吐出温度Ｔｄが８０℃未満およびシェル温度Ｔｃが８５℃未満でなければ（ＳＴ７−Ｙｅｓ）、つまり、取り込んだ吐出温度Ｔｄが８０℃以上であるかあるいは取り込んだシェル温度Ｔｃが８５℃以上であれば、ＣＰＵ２１０は、回転数上昇制御を実行し（ＳＴ９）、ＳＴ２に処理を戻す。
【００７９】
ＳＴ３において、吐出温度Ｔｄが１０５℃未満およびシェル温度Ｔｃが１１０℃未満でなければ（ＳＴ３−Ｎｏ）、つまり、取り込んだ吐出温度Ｔｄが１０５℃以上であるかあるいは取り込んだシェル温度Ｔｃが１１０℃以上であれば、ＣＰＵ２１０は、フラグＦａを１とし（ＳＴ１０）、取り込んだ吐出温度Ｔｄが１１０℃以上であるかあるいは取り込んだシェル温度Ｔｃが１１５℃以上であるか否かを判断する（ＳＴ１１）。
【００８０】
取り込んだ吐出温度Ｔｄが１１０℃以上であるかあるいは取り込んだシェル温度Ｔｃが１１５℃以上でなければ（ＳＴ１１−Ｎｏ）、つまり、取り込んだ吐出温度Ｔｄが１１０℃未満およびシェル温度Ｔｃが１１５℃未満であれば、ＣＰＵ２１０は、回転数保持制御を実行し（ＳＴ１２）、ＳＴ１６に処理を進める。取り込んだ吐出温度Ｔｄが１１０℃以上であるかあるいは取り込んだシェル温度Ｔｃが１１５℃以上であれば（ＳＴ１１−Ｙｅｓ）、ＣＰＵ２１０は、フラグＦｂが１であるか否かを判断する（ＳＴ１３）。
【００８１】
フラグＦｂが１であれば（ＳＴ１３−Ｙｅｓ）、ＣＰＵ２１０は、ＳＴ１２に処理を進める。フラグＦｂが１でなければ（ＳＴ１３−Ｎｏ）、ＣＰＵ２１０は、回転数低下制御を実行し（ＳＴ１４）、フラグＦｂを１として（ＳＴ１５）ＳＴ２に処理を戻す。
【００８２】
ＳＴ１２の処理を終えたＣＰＵ２１０は、取り込んだ吐出温度Ｔｄが１１５℃以上であるかあるいは取り込んだシェル温度Ｔｃが１２０℃以上であるか否かを判断する（ＳＴ１６）。取り込んだ吐出温度Ｔｄが１１５℃以上であるかあるいは取り込んだシェル温度Ｔｃが１２０℃以上でなければ（ＳＴ１６−Ｎｏ）、つまり、取り込んだ吐出温度Ｔｄが１１５℃未満およびシェル温度Ｔｃが１２０℃未満であれば、ＣＰＵ２１０は、ＳＴ２に処理を戻す。取り込んだ吐出温度Ｔｄが１１５℃以上であるかあるいは取り込んだシェル温度Ｔｃが１２０℃以上であれば（ＳＴ１６−Ｙｅｓ）、ＣＰＵ２１０は、回転数低下制御を実行する（ＳＴ１７）。
【００８３】
次に、ＣＰＵ２１０は、取り込んだ吐出温度Ｔｄが１２０℃以上であるかあるいは取り込んだシェル温度Ｔｃが１３０℃以上であるか否かを判断する（ＳＴ１８）。取り込んだ吐出温度Ｔｄが１２０℃以上であるかあるいは取り込んだシェル温度Ｔｃが１３０℃以上でなければ（ＳＴ１８−Ｎｏ）、つまり、取り込んだ吐出温度Ｔｄが１２０℃未満およびシェル温度Ｔｃが１３０℃未満であれば、ＣＰＵ２１０は、ＳＴ２に処理を戻す。取り込んだ吐出温度Ｔｄが１２０℃以上であるかあるいは取り込んだシェル温度Ｔｃが１３０℃以上であれば（ＳＴ１８−Ｙｅｓ）、ＣＰＵ２１０は、保護停止制御を実行して（ＳＴ１９）、処理を終了する。
【００８４】
以上説明したように、本実施形態の空気調和装置１は、吐出温度Ｔｄやシェル温度Ｔｃの温度上昇時に、これらの温度のうちの少なくとも一方が初めて第１温度帯まで上昇したときは、圧縮機２１の回転数を低下させる回転数低下制御を行い、その後、吐出温度Ｔｄおよびシェル温度Ｔｃがいずれも第４温度以上となることなく、かつ、いずれか一方が第１温度帯の温度に留まっているときは、圧縮機２１の回転数を現在の回転数に保持する回転数保持制御を実行する。
【００８５】
これにより、必要以上に圧縮機２１の回転数が低下させられることを防ぐことができ、室内機５ａ〜５ｃで発揮される空調能力の不要な低下を防ぎつつ、吐出温度Ｔｄやシェル温度Ｔｃが第２温度を超えて圧縮機２１が停止することを抑制できる。
【００８６】
尚、以上説明した実施形態では、吐出温度Ｔｄとシェル温度Ｔｃの両方を検出し、吐出温度Ｔｄとシェル温度Ｔｃがともに第２温度を越えないように温度保護制御を行う場合について説明した。しかし、本発明はこれに限らず、吐出温度Ｔｄとシェル温度Ｔｃのうちいずれか一方のみ、第２温度を越えないように温度保護制御を行うものであってもよい。
【符号の説明】
【００８７】
１  空気調和装置
２  室外機
２１  圧縮機
５ａ〜５ｃ  室内機
３３  吐出温度センサ
３７  シェル温度センサ
５ａ〜５ｃ  室内機
１００  冷媒回路
２００  室外機制御部
２１０  ＣＰＵ
２２０  記憶部
２４０  センサ入力部
３００  圧縮機温度−回転数相関図
Ｔｄ  吐出温度
Ｔｃ  シェル温度
【図１】
2018141599.tif 000003
【図２】
2018141599.tif 000004
【図３】
2018141599.tif 000005